(57)【特許請求の範囲】
【請求項１】
不飽和結合を有するオリゴマー及びモノマーを主体とし、光エネルギーによって硬化せしめたゲル基材に、揮発性の薬剤を含有せしめた素材により、所望の形状に膨出した立体成形物（１）を成形すると共に、当該立体成形物（１）の周縁に張り出すフランジ（３）を形成し、当該フランジ（３）の両面を支持板（４、５）で挟持すると共に、少なくとも一方の支持板（５）に形成された透孔（６）から前記立体成形物（１）を突出せしめたことを特徴とする、薬剤揮散具
【請求項２】
多孔質の基材に揮発性の薬剤を含浸せしめた素材により、所望の形状に膨出した立体成形物（１）を成形すると共に、当該立体成形物（１）の周縁に張り出すフランジ（３）を形成し、当該フランジ（３）の両面を支持板（４、５）で挟持すると共に、少なくとも一方の支持板（５）に形成された透孔（６）から前記立体成形物（１）を突出せしめたことを特徴とする、薬剤揮散具
【請求項３】
前記立体成形物（１）を透明体とし、前記支持板のうちの他方（４）には透孔（６）を形成されておらず、当該他方の支持板（４）における前記一方の支持板（５）の透孔（６）に対向する位置（８）を適宜の色に着色すると共に模様を描き、前記立体成形物（１）の形状と当該立体成形物（１）を通して透視した前記色彩及び模様とにより、視覚的に具象物を表現したことを特徴とする、請求項１又は２に記載の薬剤揮散具
【請求項４】
前記一方の支持板（５）における外面に模様（１０）を描き、当該模様が前記視覚的に表現された具象物の一部をなすことを特徴とする、請求項３に記載の薬剤揮散具
【請求項５】
前記立体成形物（１）に、当該立体成形物（１）より大きいシート（２）を貼着し、当該シート（２）における前記立体成形物（１）の外周からはみ出した部分を前記フランジ（３）としたことを特徴とする、請求項１、２、３又は４に記載の薬剤揮散具
【請求項６】
前記フランジ（３）が、立体成形物（１）と一体に成形されていることを特徴とする、請求項１、２、３又は４に記載の薬剤揮散具
【発明の詳細な説明】
【０００１】
【発明の属する技術分野】
本発明は薬剤揮散具に関するものであって、特に密閉空間内に設置して香料、消臭剤、動物忌避剤、動物誘引剤、殺虫剤などの薬剤を揮散させ、密閉空間内にこれらの薬剤の効力を生ぜしめるための器具に関するものである。
【０００２】
【従来の技術】
従来から、自動車の車室内に香料の揮散具を設置し、香料を車室内に揮散させて消臭効果を生ぜしめることが行われている。この種の揮散具としては通常、不飽和結合を有するオリゴマー及びモノマーを硬化せしめたゲル基材に香料を含有せしめ、そのゲルを容器に収容し、これを車室内のダッシュボード上などに載置して使用するものが知られている。
【０００３】
また他の形態のものとして、紙などのシート状の基材に香料を含浸させ、これを車室内に吊して使用するものも知られている。
【０００４】
【発明が解決しようとする課題】
しかしながら香料を含有するゲルを容器に収容したものでは、ゲルを収容するための重い容器が必要であり、高価であると共に、載置した箇所から振動などで容器が転落して破損したり、また急ブレーキや事故などの際には、重い容器が車室内を飛んで、人に当たって怪我をしたり、またガラスにぶつかって破壊したりすることがある。
【０００５】
またシート状の基材に香料を含浸させたものでは、含浸させ得る香料の絶対量が少なく、また揮散速度が速くて寿命が短い。
【０００６】
本発明はかかる事情に鑑みなされたものであって、容器などに収容することなく吊り下げるなどの手段で設置することができ、かつ十分な寿命を有し、また自由なデザインを施すことのできる、新規な香料揮散具を提供することを目的とするものである。
【０００７】
また本発明は香料揮散具に限らず、消臭剤、動物忌避剤、動物誘引剤、殺虫剤などの各種の薬剤を揮散させることができ、また自動車の車室内に限らず、居室、トイレ、箪笥や下駄箱など、種々の密閉空間内に設置し、前述のような薬剤を揮散させることができるものである。
【０００８】
【課題を解決するための手段】
而して本願の第一の発明は、不飽和結合を有するオリゴマー及びモノマーを主体とし、光エネルギーによって硬化せしめたゲル基材に、揮発性の薬剤を含有せしめた素材により、平面から所望の形状に膨出した立体成形物を成形すると共に、当該立体成形物の周縁に張り出すフランジを形成し、当該フランジの両面を支持板で挟持すると共に、少なくとも一方の支持板に形成された透孔から前記立体成形物を突出せしめたことを特徴とするものである。
【０００９】
また本願の第二の発明は、多孔質の基材に揮発性の薬剤を含浸せしめた素材により、所望の形状に膨出した立体成形物（１）を成形すると共に、当該立体成形物（１）の周縁に張り出すフランジ（３）を形成し、当該フランジ（３）の両面を支持板（４、５）で挟持すると共に、少なくとも一方の支持板（５）に形成された透孔（６）から前記立体成形物（１）を突出せしめたことを特徴とするものである。
【００１０】
本発明においては、前記立体成形物を透明体とし、前記支持板のうちの他方には透孔を形成されておらず、当該他方の支持板における前記一方の支持板の透孔に対向する位置を適宜の色に着色すると共に模様を描き、前記立体成形物の形状と当該立体成形物を通して透視した前記色彩及び模様とにより、視覚的に具象物を表現することができる。またこの構成において、前記一方の支持板における外面に模様を描き、当該模様が前記視覚的に表現された具象物の一部をなすようにすることもできる。
【００１２】
また本発明の構造として、前記立体成形物に当該立体成形物より大きいシートを貼着し、当該シートにおける前記立体成形物の外周からはみ出した部分を前記フランジとすることが好ましい。また前記フランジは、立体成形物と一体に成形されたものとすることもできる。
【００１３】
【発明の実施の形態】
以下本発明の実施の形態を図面に基づいて説明する。図１は本発明の薬剤揮散具の実施の一形態としての芳香剤Ａを示すものであって、（ａ）は正面図、（ｂ）はＢ−Ｂ断面図、（ｃ）はＣ−Ｃ断面図である。
【００１４】
図１において１は立体成形物であって、不飽和結合を有するオリゴマー及びモノマーを硬化せしめたゲル基材よりなっており、当該ゲル基材に香料を含有せしめた素材よりなっている。この素材は、前記オリゴマー及びモノマーに光重合開始剤及び香料を添加した組成物を、所望の形状の型に注入し、紫外線を照射して硬化させることにより成形することができる。
【００１５】
図面の例においては、立体成形物１は無色透明の素材よりなっており、イチゴの形状をなして表面に膨出している。そしてその立体成形物１の裏面には、当該立体成形物１の外形形状よりも大きい形状の、透明なプラスチックのシート２が貼着されている。そしてそのシート２の周縁部は、立体成形物１の外周からはみ出してフランジ３を形成している。
【００１６】
立体成形物１にシート２を貼着するには、前述のように組成物を型に注入した後、当該型の開口部における組成物の液面にシート２を載置し、その状態で組成物を硬化せしめることにより貼着することができる。
【００１７】
４、５は紙などよりなる支持板であって、一方の支持板５には前記立体成形物１に適合する形状の透孔６が穿設されており、支持板４と支持板５との間にシート２を挟持し、前記透孔６から立体成形物１を突出せしめている。この例においては、一枚の板材を折り曲げ部７で折り曲げて、フランジ３の両面に支持板４及び支持板５を形成している。
【００１８】
そして裏面側の支持板４には、表側の支持板５の透孔６に対向する部分８を赤色に着色すると共に、イチゴの種を現す斑点模様９が描かれ、また支持板５の表面にはイチゴのへたの模様１０が描かれており、立体成形物１を通して前記赤色部分８及び斑点模様９を透視し、かつへたの模様１０と総合して、具象物としてのイチゴが表現されている。
【００１９】
なおここで表現される具象物はイチゴに限られるものではなく、バナナ、リンゴ、スイカなどの果物を表現することもでき、さらにはこの様な果物に限らず、野菜、キノコ、樹木、人物、動物、鳥、魚介類、自動車、日用品、スポーツ用品や、種々のキャラクターなどの事物を表現することができる。さらにこれらの具体的な事物以外にも、円、三角、四角、星形などの幾何学図形や、特定の事物を現さない抽象図形を現してもよい。
【００２０】
この例においては、立体成形物１が無色透明であり、かつシート２も透明体であって、支持板４における透孔６に対向する部分８に着色及び模様を付しているが、立体成形物１又はシート２に着色することにより表現物の色彩を現すことも可能であり、またシート２に着色及び模様を付して不透明体とし、立体成形物１を通して透視せしめることもできる。
【００２１】
また立体成形物１を不透明体とし、当該立体成形物１自体を着色し、又はその表面に所望の模様を描くことも可能であることは、言うまでもない。
【００２２】
そしてこの例においては、シート２のフランジ３及び支持板４、５に透孔１１が穿設されており、当該透孔１１に紐１２が通されていて、当該紐１２により芳香剤Ａを所望の箇所に吊り下げるようになっている。
【００２３】
シート２と支持板４、５とは透孔１１に紐１２を通すだけで互いに脱落することはなく、特に一体に固着する必要はないが、もし必要な場合には、フランジ３の部分をホチキスなどで固定してもよく、またシート２と支持板４とを両面粘着テープなどで固定することもできる。
【００２４】
図２は本発明を実施する他の形態を示すものであって、（ａ）は立体成形物１と同一の素材で、立体成形物１の外周から張り出したフランジ３を形成したものであって、立体成形物１とフランジ３とが一体となっており、そのフランジ３が支持板４、５に挟持されている。
【００２５】
立体成形物１を構成するゲル基材は強度が小さく、（ａ）の構造ではフランジ３の強度が不十分になりがちであるので、（ｂ）の形態においては、（ａ）における立体成形物１及びフランジ３の裏面にシート２を貼着してフランジ３を補強している。そして立体成形物１と一体のフランジ３と、そのフランジ３の部分に貼着されたシート２とが、支持板４、５に挟持されている。
【００２６】
以上の説明においては、立体成形物１は芳香剤Ａの片面にのみ膨出しているが、（ｃ）は芳香剤Ａの両面に立体成形物１を膨出せしめたものであって、シート２の両面に立体成形物１が貼着されており、支持板４、５にそれぞれ透孔６が穿設されており、当該支持板４、５でシート２のフランジ３を挟持すると共に、それらの透孔６から立体成形物１が突出している。
【００２７】
この例では、不透明体のシート２に色彩及び模様を付することにより、芳香剤Ａの両面において立体成形物１により具象物を表現することができる。芳香剤Ａの両面に表現される具象物は、互いに左右対象であることが好ましいが、異る具象物を表現することも可能である。
【００２８】
また（ｄ）は両面に膨出した立体成形物１の厚みの中央部における外周に、当該立体成形物１と一体のフランジ３が張り出しており、当該フランジ３が支持板４、５で挟持されると共に、支持板４、５に形成された透孔６から両面側に立体成形物１が突出している。
【００２９】
この例においては、立体成形物１を透視して模様や色彩を現すことができないので、複雑な具象物を表現することは困難であるが、立体成形物１を着色することにより単色の幾何学図形などを表現することはできる。また無色透明の立体成形物１を立体幾何学形状に成形することにより、例えばダイヤモンドなどを表現することも可能である。
【００３０】
また（ｅ）は（ｄ）の例における厚みの中央部にシート２を配し、立体成形物１と一体のフランジ３及びそのフランジ３の部分に配されたシート２の部分が支持板４、５で挟持されると共に、支持板４、５に形成された透孔６から両面側に立体成形物１が突出している。
【００３１】
シート２としては、先にはプラスチック製のものとして述べているが、それに限られるものではなく、紙、金属板、木板など適宜の材料よりなるものを使用することもできる。また支持板４、５も、前述の紙に限られることはなく、プラスチック、金属、木などの材料を使用することができる。
【００３２】
【実施例】
次に本発明における立体成形物１の組成を、実施例に基づいて説明する。表１に示す組成に基づいて組成物を調製し、これを型に注入して、紫外線を照射して硬化させ、ゲル基材よりなる立体成形物１を成形した。
【００３３】
いずれの実施例においても十分に硬化した立体成形物１が得られ、かつ自動車の車室内に吊しておいたところ、約１か月間に亙って芳香を発する芳香剤Ａとして使用することができた。
【００３４】
【表１】
0004094702.tif 000002
【００３５】
本発明における立体成形物１が、香料を含む紫外線硬化型のゲル基材よりなる場合において、ゲル基材として使用されるオリゴマーとしては、（メタ）アクリル系の低重合体が適当であり、たとえばウレタン（メタ）アクリレート、ポリエステル（メタ）アクリレート、アルキッド樹脂（メタ）アクリレートの他、エポキシ（メタ）アクリレート、スピラン樹脂（メタ）アクリレート、シリコーン樹脂（メタ）アクリレートなどを使用することができる。
【００３６】
またモノマーも（メタ）アクリレート系のモノマーが適当であり、不飽和結合が単一のモノマーも、また２〜６の複数の不飽和結合を有するモノマーをも使用することができる。
【００３７】
それらの例を挙げるならば、表１において挙げたヘキサンジオール（メタ）アクリレート、ジエチレングリコールジ（メタ）アクリレート、トリメチロールプロパントリ（メタ）アクリレートの他、ラウリル（メタ）アクリレート、ステアリル（メタ）アクリレートなどの高級脂肪族アルコールの（メタ）アクリレートエステル、２−エチルヘキシル（メタ）アクリレート、２−ヒドロキシプロピル（メタ）アクリレート、テトラヒドロフルフリル（メタ）アクリレート、２−ヒドロキシエチル（メタ）アクリレート、フェノキシエチル（メタ）アクリレート、ノニルフェノキシエチル（メタ）アクリレート、テトラヒドロフルフリルオキシエチル（メタ）アクリレート、テトラヒドロフルフリルオキシヘキサノリド（メタ）アクリレート、１，３−ジオキサンアルコールのε−カプロラクトン付加物の（メタ）アクリレート、ネオペンチルグリコールジ（メタ）アクリレート、トリプロピレングリコールジ（メタ）アクリレート、ポリエチレングリコールジ（メタ）アクリレート、ヒドロキシピバリン酸ネオペンチルグリコールジ（メタ）アクリレート、ネオペンチルグリコールアジペートのジ（メタ）アクリレート、１，６−ヘキサンジオールジグリシジルエーテルのジ（メタ）アクリレート、プロピオン酸ジペンタエリスリトールトリ（メタ）アクリレート、ジトリメチロールプロパンテトラ（メタ）アクリレート、プロピオン酸ジペンタエリスリトールテトラ（メタ）アクリレート、プロピオン酸ジペンタエリスリトールペンタ（メタ）アクリレート、ジペンタエリスリトールヘキサ（メタ）アクリレート、トリメチロールプロパンのエチレンオキシド付加物のトリ（メタ）アクリレート、トリメチロールプロパンのエチレンオキシド又はプロピレンオキシド付加物のトリ（メタ）アクリレート、１，３−ジオキサンペンタノールのペンタ（メタ）アクリレート、ジペンタエリスリトールのε−カプロラクトン付加物のヘキサ（メタ）アクリレートなどが挙げられる。
【００３８】
オリゴマーとモノマーとの混合比は、５：９５〜７０：３０、より好ましくは１０：９０〜５０：５０程度とするのが適当である。
【００３９】
またゲル基材に紫外線硬化性を付与するための光重合開始剤としては、ベンジルジメチルケタール、ベンゾインイソブチルエーテル、ベンゾインイソプロピルエートル、ベンゾインエチルエーテル、ベンゾインメチルエーテル、１−フェニル１，２−プロパンジオン−２−（ｏ−エトキシカルボニル）オキシム、２，２−ジメトキシ−２−フェニルアセトフェノン、ヒドロキシシクロヘキシルフェニルケトン、ジエトキシアセトフェノン、２−ヒドロキシ−２−メチル−１−フェニルプロパン−１−オン、ベンゾフェノン、ｐ−クロロベンゾフェノン、クロロチオキサントン、イソプロピルチオキサントン、２−メチルチオキサントン、ハロゲン置換ベンゾフェノン、ハロゲン置換アルキル−アリールケトン、１−ヒドロキシシクロヘキシルフェニルケトン、（１−６−η−クメン）（η−シクロペンタジエニル）鉄（１＋）六フッ化リン酸（１−）、２−メチル−［４−（メチルチオ）フェニル］−２−モルフォリノ−１−プロパノン、トリエタノールアミン、ジエチルエタノールアミンなどを挙げることができる。その配合量は、通常、ゲル基材に対して３重量％程度が適当である。
【００４０】
また揮発性薬剤としての香料としては、麝香ムスク、レイビョウ香（civet)、海リ香（castreum）、リュウゼン香（ambergris)などの動物性香料及び、植物の根幹、枝葉、花、花蕾、果皮、種子などを水蒸気蒸溜することにより得られる植物性香料のような天然香料並びに、それらの天然香料から単離された抽出香料や、化学合成により得られる合成香料などの人造香料、これらを適宜混合した調合香料などを使用することができる。
【００４１】
さらにゲル基材を着色する場合には、適宜の染料を添加することができる。使用される染料の例としては、アゾ染料、アントラキノン染料、インジゴイド染料、フタロシアニン染料、カルボニウム染料、キノンイミン染料、メチン染料、キノリン染料、ニトロ染料、ニトロソ染料、ベンゾキノン染料、ナフトキノン染料、ナフタルイミド染料、ベリノン染料などを挙げることができる。また誤飲食を避けるために、苦味剤を添加することも好ましい。
【００４２】
本発明における立体成形物１を構成する素材としては、前述の不飽和結合を有するオリゴマー及びモノマーを主体として硬化せしめたゲル基材に揮発性薬剤を含有せしめたものが適当であるが、その硬化の際に熱を加えると香料が揮散するので、前述のように紫外線などの光エネルギーによって、低温で硬化せしめるのが好ましい。
【００４３】
また前記立体成形物１を構成する素材として、プラスチックの発泡体、セラミック、フェルト、木などの多孔質の基材に、香料を含浸せしめた素材を使用することもできる。
【００４４】
これらの素材を所望の色彩に着色して立体成形物１を成形し、その表面に所望の模様を描いて、シート２に貼着して又は立体成形物１と一体のフランジ３を形成し、そのフランジ３を支持板４、５に挟持し、透孔６から立体成形物１を突出させる。
【００４５】
また本発明において基材に含有又は含浸せしめる揮発性薬剤としては、前記香料に限られるものではなく、消臭剤、動物忌避剤、動物誘引剤、殺虫剤、抗菌・防カビ剤などの各種の薬剤を使用することができる。
【００４６】
揮発性薬剤としての消臭剤としては、例えば乾留竹（バデオール）、パンシル（カキタンニンエキス）、フレッシュシライマツ（緑茶エキス）などを使用することができる。
【００４７】
また害虫に対する誘引剤としては、メチルオイゲノール、４−（ｐ−アセトキシフェニル）−２−ブタノン、アネトール、α−グアイエン、δ−グアイエン、β−ブルネッセン、グアイオール、オイゲノール、メチルオイゲノール、ステアリン酸、エレモール、カスカリ酸、パルミチン酸、アルデヒド類、酢酸テルピニル、ボルネオール、ネロリドール、パリプラノン−Ｂ、ヒノキ油、ラワン皮油、カスカリラ油、アルチニルアルコール系、アルケニルアルデヒド系、アルケニル脂肪酸エステル系、フェロモン類、フラノン誘導体、植物性アルコール、ラクトン類などが挙げられる。
【００４８】
また動物に対する忌避剤としては、虫類に対してはジメチルフタレート、Ｎ，Ｎ−ジメチル−ｍ−トリアミド、カプリル酸ジエチルアミド、ベンズアルデヒド、ジエチルトリアミド、１，８−シネオール、オイゲノール、シンナミルアルコール、３−ヒドロキシフェランドラール、ジブチルフタレート、ナフタレン、β−ナフトールジアルジスルフィド、シトラール、サクシネート、ノニルスチルケトン、ウィスキーラクトン、ゼラニウム、イソボルニルチオシアノアセテヘト、デヒドロ酢酸、サフロール、ｄ−リモネン、サリチル酸、ベンジルホーメイト、アザロン、パインオイル、レモングラス油、ジャパニーズミントオイル、サンダルウッド、スペアーミントオイル、ローズなどが、また鳥類に対しては、エチルメチルフェニル、グリシデート、シトネラール、ボルニールアセテート、オクタナール、メチルベンゾエート、リモネン、シトラール、リナロール、カシミロリド、γ−クロラローゼ、ジアリルジスルフィド、テトラメチルチウラムジサルファイド、ｎ−ヘキシルアルデヒド、デカナール、ヘプタナール、ノナナール、ウンデカナール、ドデカナール、γ−ノナラクトン、γ−ウンデカラクトン、メチルフェニルグリシッド酸エチルなどが、また犬猫などに対しては、２，６−ジメチル−オクタジエン−（２，６）−al（８）（シトラール）、Ｏ，Ｏ−ジエチルＳ−２−エチルチオエチルジチオフォスフェート（ＥＴＰ）、Ｏ，Ｏ−ジメチルＳ−２−イソプロピルチオエチルジチオホスフェート（ＭＩＰ）、シクロペンタデカノン、シクロペンタデカノリド、アンブレットリド、シクロヘキサデカノリド、１，１−オキサヘキサデカノリド、エチレンブラシレート、１，２−オキサヘキサデカノリド、１，Ｏ−オキサヘキサデカノリド、シベトン、ムスコンなどを挙げることができる。
【００４９】
また殺虫剤としては、クリスロン、レスメスリン、ペルメトリンなどのピレスロイド系、ＤＤＶＰ、ダイアジノン、スミチオンなどの有機リン系、バイコンなどのカーバメイト系のものなどが使用できる。
【００５０】
さらに抗菌・防カビ剤としては、フェノール、クレゾール、ｐ−クロロフェノール、ｐ−クロロ−ｍ−キシレノール、ｐ−クロロ−ｍ−クレゾール、チモール、２，４，４−トリクロロ−２′−ヒドロキシフェニルエーテル、ｐ−イソプロピル−ｍ−クレゾールなどのフェノール類や、サリチル酸又はパラヒドロキシ安息香酸エステルのような酸類などが適当である。
【００５１】
【作用】
本発明においては、本発明の薬剤揮散具を車室、居室、トイレ、箪笥、下駄箱などの密閉空間内に設置することにより、立体成形物１に含有され又は含浸された揮発性の薬剤が、前記密閉空間内に揮散して充満し、密閉空間内において当該薬剤の効能を発揮する。
【００５２】
自動車などの車室内に設置する芳香剤にあっては、車室内に香料を揮散して悪臭を隠蔽する。またこれを居室やトイレ内に設置する場合においても、これらの室内の悪臭を隠蔽する。
【００５３】
また立体成形物１に消臭剤を含有せしめ又は含浸せしめたものをトイレや下駄箱などの中に設置することにより、当該空間内に消臭剤を揮散せしめ、臭気を除去することができる。
【００５４】
また殺虫剤や昆虫類の忌避剤を含有又は含浸したものを箪笥内などに設置することにより、当該箪笥内などの密閉空間に殺虫剤や忌避剤を揮散せしめ、虫による食害を防止することができる。さらに各種動物に対する忌避剤や誘引剤を揮散させることにより、それらの動物を駆逐し、又は誘引して他の適宜の手段で駆除することができる。
【００５５】
さらに立体成形物１に含有又は含浸させる薬剤としては、これらのものに限られるものではなく、その他の各種の薬剤を使用し、これらを密閉空間内に揮散させるために使用することができる。
【００５６】
そして本発明の薬剤揮散具は、立体成形物１から張り出したフランジ３を支持板４、５に挟持して支持するので、これを所望の箇所に吊り下げ、又は載置して設置することができると共に、支持板４、５が立体成形物１を保護するので、その破損が防止される。
【００５７】
また立体成形物１は支持板４、５の透孔６から外部に露出しており、薬剤を有効に揮散させることができると共に、立体成形物１の膨出部を透孔６から突出させるので、立体成形物１の厚みを大きいものとし、十分な量の薬剤を保持して長期間に亙って硬化を持続させることができる。
【００５８】
そして立体成形物１が透孔６から突出しているので、その部分を所望の形状に成形することができ、かつ支持板４、５に施した色彩や模様と相俟って、種々の具象物を表現することができる。従ってデザイン的にも容器などに拘束されることがなく、また単なる平面的なデザインと異なり、極めて広範囲のデザインを施すことができる。
【００５９】
さらに本発明は立体成形物１と支持板４、５よりなるので、大きな重い容器を必要とせず、安価であると共に、自動車用の芳香剤Ａとして使用する場合においても、適宜の箇所に吊り下げたり載置したりして設置することができ、振動などによって転落して容器が破損したり、載置場所から飛んで人に当たって怪我をしたり、ガラスを破壊したりするような危険もない。
【００６０】
【発明の効果】
従って本発明によれば、所望の薬剤を揮散させる揮散具を安価に製造することができ、また十分に長い期間に亙って効果を持続させることができると共に、広い範囲のデザインを採用することができる。特に自動車の車室内に設置する芳香剤として、安全である。
【図面の簡単な説明】
【図１】  本発明の実施の一形態を示すものであって、（ａ）は正面図、（ｂ）はＢ−Ｂ断面図、（ｃ）はＣ−Ｃ断面図である。
【図２】  本発明の他の各種の実施の形態を示す横断面図
【符号の説明】
１  立体成形物
２  シート
３  フランジ
４、５  支持板
６  透孔
８  部分
９、１０  模様
【図１】
0004094702.tif 000003
【図２】
0004094702.tif 000004